(57)【要約】【課題】  スピーカボックスにマイナスイオン発生器を内蔵したスピーカ装置において、スピーカの使用時，不使用時にかかわらずスピーカボックス内からマイナスイオンを積極的に放出できるようにする。【解決手段】  内部にスピーカ３のための共鳴空間２１とバスレフダクト２２とが設けられたスピーカボックス２を有し、スピーカボックス２の内部にはマイナスイオン発生器５が設けられており、マイナスイオン発生器５から生成されたマイナスイオンをスピーカ３から発せられる音圧を利用してバスレフダクト２２から外部空間（室内）に放出するスピーカ装置において、スピーカ３を非可聴帯域の低周波信号にて駆動する低周波発振器を含むスピーカ駆動ユニット４を設ける。【選択図】  図１
2006033771.tif 000002
【特許請求の範囲】
【請求項１】
内部にスピーカのための共鳴空間が形成され、上記共鳴空間と外部空間とを連通するバスレフダクトが設けられたスピーカボックスを有し、上記スピーカボックスの内部にはマイナスイオン発生器が設けられており、上記マイナスイオン発生器から生成されたマイナスイオンを上記スピーカから発せられる音圧を利用して上記バスレフダクトから上記外部空間に放出するスピーカ装置において、
上記スピーカを非可聴帯域の低周波信号にて駆動する低周波発振器を備えていることを特徴とするスピーカ装置。
【請求項２】
上記低周波信号は音声信号源からの音声信号と混合されて上記スピーカを駆動するスピーカアンプに入力されることを特徴とする請求項１に記載のスピーカ装置。
【請求項３】
上記低周波発振器と上記スピーカアンプとを含むスピーカ駆動ユニットが上記スピーカボックス内に設けられることを特徴とする請求項１または２に記載のスピーカ装置。
【発明の詳細な説明】
【技術分野】
【０００１】
本発明はスピーカ装置に関し、さらに詳しく言えば、マイナスイオン発生器が組み込まれたスピーカ装置に関する。
【背景技術】
【０００２】
現代の生活環境は多くの電化製品やＯＡ機器などに囲まれており、それらから発せられるプラスイオンが多い空間で生活しているが、人がリラックスする基本としては自然界の空気がよく、特に「マイナスイオン」を多く含んだ空気の多い滝のそばや森の中にいるときなどが心身ともに休まると言われている。
【０００３】
そこで、最近ではマイナスイオンのヒーリング効果が得られるとしてマイナスイオン発生器を内蔵した家電製品が種々製品化されているが、その一つにマイナスイオン発生器を内蔵したスピーカ装置がある。
【０００４】
例えば特許文献１に記載されているスピーカ装置では、内部に共鳴空間を有するスピーカボックスのバスレフダクト近傍にマイナスイオン発生器が組み込まれており、生成されたマイナスイオンをスピーカから発せられる音圧を利用してバスレフダクトから外部空間に放出するようにしている。
【０００５】
【特許文献１】特開２００３−２０４５８８号公報
【発明の開示】
【発明が解決しようとする課題】
【０００６】
上記特許文献１のスピーカ装置によれば、音楽やテレビなどを見ながらマイナスイオンを部屋に放出することができるばかりでなく、その音楽や映像の内容によってはマイナスイオンとの相乗効果により、よりリラックスした状態を得ることができる。
【０００７】
しかしながら、上記スピーカ装置の場合、スピーカを使用していないときにはマイナスイオンの多くはスピーカボックス内にこもってしまい積極的には外部に放出されない。また、スピーカ使用時でも音量が小さい場合には音圧が低いことからマイナスイオンは余り外部に放出されない。
【０００８】
したがって、本発明の課題は、スピーカの使用時，不使用時にかかわらずスピーカボックス内からマイナスイオンを積極的に放出できるようにすることにある。
【課題を解決するための手段】
【０００９】
上記課題を解決するため、本発明は、内部にスピーカのための共鳴空間が形成され、上記共鳴空間と外部空間とを連通するバスレフダクトが設けられたスピーカボックスを有し、上記スピーカボックスの内部にはマイナスイオン発生器が設けられており、上記マイナスイオン発生器から生成されたマイナスイオンを上記スピーカから発せられる音圧を利用して上記バスレフダクトから上記外部空間に放出するスピーカ装置において、上記スピーカを非可聴帯域の低周波信号にて駆動する低周波発振器を備えていることを特徴としている。
【００１０】
本発明の好ましい態様によれば、上記低周波信号は音声信号源からの音声信号と混合されて上記スピーカを駆動するスピーカアンプに入力される。また、スピーカ装置が例えばパソコンの周辺機器として用いられることを考慮して、上記低周波発振器と上記スピーカアンプとを含むスピーカ駆動ユニットが上記スピーカボックス内に設けられることが好ましい。
【発明の効果】
【００１１】
本発明によれば、スピーカが非可聴帯域（再生帯域外）の低周波信号で駆動されスピーカコーンが大きく振動するため、マイナスイオン発生器から生成されたマイナスイオンがスピーカの使用時，不使用時にかかわらず大振幅の音圧によってスピーカボックスから外部空間（室内）に積極的に放出される。
【発明を実施するための最良の形態】
【００１２】
次に、図１ないし図３により本発明の実施形態について説明するが、本発明はこれに限定されるものではない。図１は本発明によるスピーカ装置の第１実施形態に係る内部構造を示す断面図，図２はスピーカ駆動ユニットの構成を示すブロック図，図３は本発明によるスピーカ装置の第２実施形態に係る内部構造を示す断面図である。
【００１３】
まず、図１を参照して、このスピーカ装置１は、内部に共鳴空間２１を有するスピーカボックス２を備え、スピーカ３はスピーカボックス２の前面のバフル板２３に装着されている。スピーカ３には、コーン型の振動板３１を有するダイナミックスピーカが用いられる。なお、スピーカ３は低音用であることが好ましいが、これとは別に中音用，高音用のスピーカが併用されてもよい。
【００１４】
スピーカボックス２は木製，合成樹脂製のいずれであってもよく、この例においてバフル板２３のスピーカ下部側に共鳴空間２１と外部空間（室内）とを連通するバスレフ（バス・レフレックス型）ダクト２２が設けられているが、バスレフダクト２２の配置や形状はスピーカ装置１の仕様に応じて任意に変更されてよい。
【００１５】
スピーカボックス２の内部にはマイナスイオンを発生させるためのマイナスイオン発生器５が設けられている。この例でのスピーカ装置１は図示しないパソコンから電源を得て動作するパッシブ型スピーカであるため、スピーカボックス２の内部には上記マイナスイオン発生器５とともにスピーカ駆動ユニット４が内蔵されている。
【００１６】
図２に示すように、スピーカ駆動ユニット４には、スピーカ３を駆動するためのスピーカアンプ４１と、図示しない音声信号源に接続される外部入力端子４２と、非非可聴帯域（再生帯域外）の低周波信号を発生する低周波発振器４３と、外部入力端子４２から入力される音声信号と低周波発振器４３からの低周波信号とを混合してスピーカアンプ４１に入力するミキサー（混合器）４４とが含まれている。
【００１７】
この例において、スピーカ駆動ユニット４は図示しないパソコンが備えているバスパワー電源から電源を得るようにしているが、図示しないＡＣアダプターや電池に電源を求めてもよい。外部入力端子４２に入力される信号はアナログ信号のほかに、デジタル信号であってもよく、また、信号伝送形態は有線，無線のいずれであってもよい。なお、場合によっては音声信号源側にスピーカ駆動ユニット４が設けられてもよい。
【００１８】
低周波発振器４３から出力される低周波信号の周波数は好ましくは３０Ｈｚ以下（より好ましくは２０Ｈｚ以下）であり、この周波数帯であれば音をほとんど発生させることなく、また、スピーカの放音時においては再生音に悪影響を与えることなくスピーカ３を大振幅で駆動することができ、マイナスイオン発生器５にて生成されたマイナスイオンを大振幅による音圧によってスピーカボックス２内からバスレフダクト２２を介して室内に積極的に放出することが可能となる。
【００１９】
低周波発振器４３は、マイナスイオン発生器５に電源が供給されマイナスイオンが生成されている間であれば、音声信号の有無（スピーカの使用時，不使用時）にかかわらず低周波信号を継続的に出力することが好ましいが、１／ｆ揺らぎを適用して１／ｆ揺らぎの間隔で低周波信号を出力させるようにしてもよい。なお、マイナスイオン発生器５と低周波発振器４３とを同時に動作させるうえで、それらのオンオフスイッチを連動させることが好ましい。
【００２０】
マイナスイオン発生器５には、コロナ放電方式，空中放電方式，レナード方式などがあるが、いずれにしてもスピーカボックス２内のバスレフダクト２２の近傍に配置されることが好ましい。
【００２１】
上記のスピーカ装置１ではスピーカ３の背面側に共鳴空間２１を配置しているが、図３に示すように、スピーカ３の前面側に共鳴空間２１を配置してなるケルトン方式型のスピーカボックス２を有する超低音用のウーハースピーカ装置６についても本発明を適用することができる。
【産業上の利用可能性】
【００２２】
本発明のスピーカ装置は、一般的な据置型のステレオスピーカ以外に、例えばカーステレオ用スピーカや、ラジカセなどの再生装置を一体となった一体型スピーカ、テレビやパソコン用モニターなどに組み込まれるスピーカなど、バスレフダクトを有するタイプであればすべて適用可能である。
【図面の簡単な説明】
【００２３】
【図１】本発明によるスピーカ装置の第１実施形態に係る内部構造を示す断面図。
【図２】上記スピーカ装置が備えるスピーカ駆動ユニットを示すブロック図。
【図３】本発明によるスピーカ装置の第２実施形態に係る内部構造を示す断面図。
【符号の説明】
【００２４】
１  スピーカ装置
２  スピーカボックス
２１  共鳴空間
２２  バスレフダクト
２３  前面バフル板
３  スピーカ
４  スピーカ駆動ユニット
５  マイナスイオン発生器
【図１】
2006033771.tif 000003
【図２】
2006033771.tif 000004
【図３】
2006033771.tif 000005